(57)【要約】【課題】非接触型ＩＣチップ内臓の携帯端末をＰＣ端末に設けられたリーダライタにかざすことで、ＰＣ端末をこれにかざした携帯端末として擬似的に動作させる。【解決手段】ＰＣ端末２は、携帯電話１をリーダライタ７にかざすことによりエミュレート機能の実行要請の有無を確認し、実行要請がある場合に、リーダライタ７を介して非接触型ＩＣチップ３から端末固有情報（端末機種判別情報、固有のＩＤ）を取得し、ＰＣ端末２と携帯電話１との紐付情報を端末固有情報と共に通知し、通知された固有のＩＤの認証を受けて紐付情報に基づき携帯電話１と紐付けされた自身のＰＣ端末２のモニタ６にトップ画面を表示させ、このトップ画面の中から選択された携帯端末用アプリケーションを起動させて、端末機種判別情報をもってアプリケーションサイトの画面を自身のモニタ上に操作可能に表示させる。【選択図】      図１
2010093700.tif 000002
【特許請求の範囲】
【請求項１】
端末機種判別情報及び固有のＩＤを含む端末固有情報が記憶された非接触型ＩＣチップを有する携帯端末と、
入力部及びモニタを備えると共に、前記非接触型ＩＣチップとの間で無線通信処理を行うリーダライタを少なくとも備えるＰＣ端末とを備え、
前記ＰＣ端末は、
前記携帯端末を前記リーダライタにかざすことによりエミュレート機能の実行要請の有無を確認させるエミュレート機能実行要請確認手段と、
前記エミュレート機能実行要請確認手段によりエミュレート機能の実行要請があると確認された場合に、前記リーダライタを介して前記ＩＣチップから前記端末固有情報を取得する固有情報取得手段と、
前記固有情報取得手段により取得した前記端末固有情報を基に当該ＰＣ端末と前記携帯端末とを紐付ける紐付情報を形成する紐付情報形成手段と、
自身のアクセスが前記携帯端末からのアクセスであることを認識させるために、前記固有情報取得手段で取得した前記端末固有情報及び前記紐付情報形成手段で形成された紐付情報を通知する情報通知手段と、
通知された前記端末固有情報の固有のＩＤの認証を受けて前記紐付情報に基づき前記携帯端末と紐付けされた当該ＰＣ端末のモニタにトップ画面を表示させるトップ画面表示手段と、
表示されたトップ画面の中から選択された携帯端末用アプリケーションを起動させて対応する携帯端末用アプリケーションサイトに接続し、前記端末機種判別情報をもって前記携帯端末用アプリケーションサイトの画面を自身のモニタ上に操作可能に表示させるサイト表示手段と
を具備することを特徴とする携帯端末エミュレートシステム。
【請求項２】
前記モニタへの表示は、前記携帯端末に表示されるべきスクロール画面を当該モニタ上に前記携帯端末での表示と同じ表示幅で縦方向に連続的に表示させることを特徴とする請求項１記載の携帯端末エミュレートシステム。
【請求項３】
前記ＰＣ端末は、
前記携帯端末として個体認証サーバから個体認証ＩＤを取得する個体認証ＩＤ取得手段と、
前記モニタ上に表示される操作ボタンによりアプリケーションサイトの遷移を前記個体認証ＩＤの利用要求と共に要求する遷移要求手段と、
遷移されたアプリケーションサイトの画面を自身のモニタ上に表示させる遷移画面表示手段と
をさらに具備することを特徴とする請求項１記載の携帯端末エミュレートシステム。
【請求項４】
前記モニタへの表示は、遷移した画面を遷移前の画面と共に前記モニタ上に並列表示させることを特徴とする請求項３記載の携帯端末エミュレートシステム。
【請求項５】
前記ＰＣ端末は、
かざされた前記携帯端末を前記リーダライタから離すことにより、前記エミュレート機能を終了させる終了手段をさらに備えることを特徴とする請求項１又は３記載の携帯端末エミュレートシステム。
【請求項６】
端末機種判別情報及び固有のＩＤを含む端末固有情報が記憶された非接触型ＩＣチップを有する携帯端末と、入力部及びモニタを備えると共に、前記非接触型ＩＣチップとの間で無線通信処理を行うリーダライタを少なくとも備えるＰＣ端末とを用いて、前記ＰＣ端末を疑似的に前記携帯端末とする携帯端末エミュレート方法において、
前記ＰＣ端末は、
前記携帯端末を前記リーダライタにかざすことによりエミュレート機能の実行要請の有無を確認し、
エミュレート機能の実行要請があると確認された場合に、前記リーダライタを介して前記ＩＣチップから前記端末固有情報を取得し、
この取得された端末固有情報を基に前記ＰＣ端末と前記携帯端末とを紐付ける紐付情報を形成し、
自身のアクセスが前記携帯端末からのアクセスであることを認識させるために、取得した前記端末固有情報及び前記紐付情報を通知し、
通知された前記端末固有情報の固有のＩＤの認証を受けて前記紐付情報に基づき前記携帯端末と紐付けされた当該ＰＣ端末のモニタにトップ画面を表示させ、
表示されたトップ画面の中から選択された携帯端末用アプリケーションを起動させて対応する携帯端末用アプリケーションサイトに接続し、前記端末機種判別情報をもって前記携帯端末用アプリケーションサイトの画面を自身の前記モニタ上に操作可能に表示させることを特徴とする携帯端末エミュレート方法。
【請求項７】
前記モニタへの表示は、前記携帯端末に表示されるべきスクロール画面を当該モニタ上に前記携帯端末での表示と同じ表示幅で縦方向に連続的に表示させることを特徴とする請求項６記載の携帯端末エミュレート方法。
【請求項８】
前記ＰＣ端末は、
前記携帯端末として個体認証サーバから個体認証ＩＤを取得し、
前記モニタ上に表示される操作ボタンによりアプリケーションサイトの遷移を前記個体認証ＩＤの利用要求と共に要求し、
遷移されたアプリケーションサイトの画面を自身のモニタ上に表示させることを特徴とする請求候６記載の携帯端末エミュレート方法。
【請求項９】
前記モニタへの表示は、遷移した画面を遷移前の画面と共に前記モニタ上に並列表示させることを特徴とする請求項８記載の携帯端末エミュレート方法。
【請求項１０】
前記ＰＣ端末は、
かざされた前記携帯端末を前記リーダライタから離すことにより、前記エミュレート機能を終了させることを特徴とする請求項６又は８記載の携帯端末エミュレート方法。
【発明の詳細な説明】
【技術分野】
【０００１】
本発明は、ＰＣ端末を仮想的に携帯電話等の携帯端末として機能させ、携帯端末用サイトにアクセスした時に携帯電話等と同様のふるまいをＰＣ端末で行うことが可能な携帯端末エミュレートシステム及び方法に関する。
【背景技術】
【０００２】
従来、携帯電話用コンテンツ（アプリケーション）をＰＣ端末（パソコン）で効率的に開発する為のツールや、開発した携帯電話用コンテンツ（アプリケーション）の動作をＰＣ端末で効率的に検証するためのエミュレータ（ミドルウェア）が考えられている。
【０００３】
例えば、非接触型ＩＣチップを搭載する携帯電話を利用した多彩なアプリケーションソフトウェアを、ＰＣ端末上で効率的に開発できるツールとして、SDK for FeliCa (登録商標）（非特許文献１参照）等が提供されている。また、作成した携帯電話用コンテンツが実際に携帯電話で正しく表示されるか否かを検証するための検証ツールとして，ｉモード対応ＨＴＭＬコンテンツ開発ツール（iモードHTMLシミュレータ）（非特許文献２参照）が提供されている。
このようなツールを利用すれば、ＰＣ端末で、あたかも携帯電話でアクセスしたかのような（視覚的な）感覚で閲覧することが可能となる。
【０００４】
また、非接触型ＩＣチップを内蔵した携帯電話をＰＣ端末に設けられたリーダライタにかざすだけで、ＰＣ端末に予めインストールされたソフトウェア（予め登録されている複数のアプリケーションの一覧メニューなど）を自動的に起動することができる仕組みも提案されている（非特許文献３参照）。
【０００５】
更に、携帯電話で携帯電話用コンテンツサイトにアクセスし、視聴したい動画コンテンツや利用したいゲームコンテンツなどを選択し、その携帯電話をリーダライタにかざすだけで、ＰＣ端末でその動画やゲームを視聴・利用できる仕組みも提案されている（非特許文献４参照）。
【非特許文献１】http://www.sony.co.jp/Products/felica/pdt/sdk.html
【非特許文献２】http://www.nttdocomo.co.jp/service/imode/make/content/html/tool2/
【非特許文献３】http://www.justsystems.com/jp/atlife/kazasu/
【非特許文献４】http://www.nfrm.jp/start.html
【発明の開示】
【発明が解決しようとする課題】
【０００６】
しかしながら、予めＰＣ端末を疑似的に携帯端末として動作させ、携帯端末用サイトを、ＰＣ端末でも全く同じように利用できる仕組みは提供されていない。
この点、ＰＣ端末上で携帯電話用コンテンツをあたかも携帯電話でアクセスしたかのような視覚的な感覚で表示し、表示された操作ボタンの選択により、リンク先にあるコンテンツを取得できる表示システムも考えられているが（特開２００５−１６５８７２号公報）、予め、ＰＣ端末を携帯端末に疑似的に動作させて、携帯端末として認識・認証するものではない。
また、ＰＣ端末の大きなモニタを有効的に活用する機能（例えば、画面を遷移する場合、遷移する度にモニタの同一画面上に新たなウィンドウを開く機能）は実装されていない。さらに、携帯電話網側は、そのＰＣ端末を携帯電話とは認識・認証していないため、携帯電話の個体認証を利用するシステムを利用することができない。
【０００７】
本発明は、係る事情に鑑みてなされたものであり、ＰＣ端末を予め携帯端末として擬似的に動作させ、携帯端末で携帯端末用サイトにアクセスした時と同様のふるまいをＰＣ端末で行うことが可能な携帯端末エミュレートシステム及びエミュレート方法を提供することを主たる課題としている。
また、携帯端末よりも大きなＰＣ端末のモニタや、ＰＣ端末のフルキーボード等を有効的に活用して、快適に利用することができる仕組みを実現することをも課題としている。
【課題を解決するための手段】
【０００８】
上記課題を達成するために、本発明に係る携帯端末エミュレートシステムは、端末機種判別情報及び固有のＩＤを含む端末固有情報が記憶された非接触型ＩＣチップを有する携帯端末と、入力部及びモニタを備えると共に、前記非接触型ＩＣチップとの間で無線通信処理を行うリーダライタを少なくとも備えるＰＣ端末とを備え、前記ＰＣ端末は、前記携帯端末を前記リーダライタにかざすことによりエミュレート機能の実行要請の有無を確認させるエミュレート機能実行要請確認手段と、前記エミュレート機能実行要請確認手段によりエミュレート機能の実行要請があると確認された場合に、前記リーダライタを介して前記ＩＣチップから前記端末固有情報を取得する固有情報取得手段と、前記固有情報取得手段により取得した前記端末固有情報を基に当該ＰＣ端末と前記携帯端末とを紐付ける紐付情報を形成する紐付情報形成手段と、自身のアクセスが前記携帯端末からのアクセスであることを認識させるために、前記固有情報取得手段で取得した前記端末固有情報及び前記紐付情報形成手段で形成された紐付情報を通知する情報通知手段と、通知された前記端末固有情報の固有のＩＤの認証を受けて前記紐付情報に基づき前記携帯端末と紐付けされた当該ＰＣ端末のモニタにトップ画面を表示させるトップ画面表示手段と、表示されたトップ画面の中から選択された携帯端末用アプリケーションを起動させて対応する携帯端末用アプリケーションサイトに接続し、前記端末機種判別情報をもって前記携帯端末用アプリケーションサイトの画面を自身のモニタ上に操作可能に表示させるサイト表示手段とを具備することを特徴としている。
【０００９】
したがって、非接触型ＩＣチップ内臓の携帯端末をＰＣ端末に設けられたリーダライタにかざすことにより、エミュレート機能実行要請確認手段によりエミュレート機能の実行要請の有無が確認され、エミュレート機能の実行要請があると確認された場合に、固有情報取得手段によりリーダライタを介してＩＣカードから端末固有情報が取得され、紐付情報形成手段により前記取得された端末固有情報を基にＰＣ端末と携帯端末とを紐付ける紐付情報が形成され、情報通知手段により、固有情報取得手段で取得した端末固有情報と紐付情報形成手段で形成された紐付情報が通知される。そして、トップ画面表示手段により、通知された端末固有情報の固有のＩＤの認証を受けて、前記紐付情報に基づき携帯端末と紐付けされたＰＣ棚末のモニタにトップ画面が表示され、サイト表示手段により、表示されたトップ画面の中から選択された携帯端末用アプリケーションを起動させて対応する携帯端末用アプリケーションサイトに接続し、前記端末機種判別情報をもって前記携帯端末用アプリケーションサイトの画面を自身のモニタ上に操作可能に表示させる。
【００１０】
このため、ＰＣ端末をこれにかざされた携帯端末として予め擬似的に動作させることができるので、携帯端末で携帯端末用サイトにアクセスした時と同様のふるまいをＰＣ端末で行うことが可能となる。また、携帯端末よりも大きなＰＣ端末のモニタや、ＰＣ端末の入力部（例えば、フルキーボード、マウス等）を有効的に活用して、携帯端末用サイトにアクセスしこれを表示するので、携帯端末の小さな画面と限られたキーを操作する場合よりも快適に操作することが可能になる。
【００１１】
ここで、モニタへの表示は、携帯端末に表示されるべきスクロール画面を当該モニタ上に携帯端末での表示と同じ表示幅で縦方向に連続的に表示させるようにするとよい。
このような表示を行うことで、携帯端末ではスクロールしなければならなかった画面をＰＣ端末のモニタで殆どスクロールすることなく一度に見ることが可能となる。
【００１２】
また、前記ＰＣ端末は、前記携帯端末として個体認証サーバから個体認証ＩＤを取得する個体認証ＩＤ取得手段と、前記モニタ上に表示される操作ボタンによりアプリケーションサイトの遷移を前記個体認証ＩＤの利用要求と共に要求する遷移要求手段と、遷移されたアプリケーションサイトの画面を自身のモニタ上に表示させる遷移画面表示手段とをさらに具備し、携帯端末用のアプリケーションサイトの遷移を携帯端末として認証を受けた上でＰＣ端末で行うようにしてもよい。
この際、前記モニタへの表示は、遷移した画面を遷移前の画面と共に前記モニタ上に並列表示させ、遷移の過程を把握できるようにしてもよい。
【００１３】
さらに、上述したＰＣ端末のエミュレータ機能は、携帯端末をＰＣ端末にかざしている間だけとし、前記ＰＣ端末に、かざされた前記携帯端末を前記リーダライタから離すことにより、前記エミュレート機能を終了させる終了手段をさらに備えるようにするとよい。
これにより、かざされた携帯端末がＰＣ端末から離された場合でも、ＰＣ端末が疑似的に携帯端末として扱われる不都合がなくなり、携帯端末自身の利用が制限されることがなくなる。
【００１４】
したがって、本発明に係る携帯端末エミュレート方法は、端末機種判別情報及び固有のＩＤを含む端末固有情報が記憶された非接触型ＩＣチップを有する携帯端末と、入力部及びモニタを備えると共に、前記非接触型ＩＣチップとの間で無線通信処理を行うリーダライタを少なくとも備えるＰＣ端末とを用いて、前記ＰＣ端末を疑似的に前記携帯端末とする方法であって、前記ＰＣ端末は、前記携帯端末を前記リーダライタにかざすことによりエミュレート機能の実行要請の有無を確認し、エミュレート機能の実行要請があると確認された場合に、前記リーダライタを介して前記ＩＣチップから前記端末固有情報を取得し、この取得された端末固有情報を基に前記ＰＣ端末と前記携帯端末とを紐付ける紐付情報を形成し、自身のアクセスが前記携帯端末からのアクセスであることを認識させるために、取得した前記端末固有情報及び前記紐付情報を通知し、通知された前記端末固有情報の固有のＩＤの認証を受けて前記紐付情報に基づき前記携帯端末と紐付けされた当該ＰＣ端末のモニタにトップ画面を表示させ、表示されたトップ画面の中から選択された携帯端末用アプリケーションを起動させて対応する携帯端末用アプリケーションサイトに接続し、前記端末機種判別情報をもって前記携帯端末用アプリケーションサイトの画面を自身の前記モニタ上に操作可能に表示させることにある。
【００１５】
このような方法において、モニタへの表示は、前記携帯端末に表示されるべきスクロール画面を当該モニタ上に前記携帯端末の表示幅で縦方向に連続的に表示させるようにするとよい。
【００１６】
また、ＰＣ端末にて、前記携帯端末として個体認証サーバから個体認証ＩＤを取得し、前記モニタ上に表示される操作ボタンによりアプリケーションサイトの遷移を前記個体認証ＩＤの利用要求と共に要求し、遷移されたアプリケーションサイトの画面を自身のモニタ上に表示させるようにするとよい。
【００１７】
この場合において、モニタへの表示は、遷移した画面を遷移前の画面と共に前記モニタ上に並列表示させるようにするとよい。また、ＰＣ端末は、かざされた携帯端末をリーダライタから離すことにより、携帯エミュレート機能を終了させるようにするとよい。
【発明の効果】
【００１８】
以上述べたように、本発明によれば、携帯端末をＰＣ端末のリーダライタにかざすことにより、ＰＣ端末により、エミュレート機能の実行要請の有無が確認され、エミュレート機能の実行要請があると判定された場合に、リーダライタを介して非接触ＩＣチップから端末固有情報が取得され、この取得された端末固有情報を基に当該ＰＣ端末と携帯端末とを紐付ける紐付情報を形成し、自身のアクセスが携帯端末からのアクセスであることを認識させるために、取得した端末固有情報及び紐付情報を通知する。そして、通知された端末固有情報の固有のＩＤの認証を受けて紐付情報に基づき携帯端末と紐付けされた当該ＰＣ端末のモニタにトップ画面を表示させ、表示されたトップ画面の中から選択された携帯用アプリケーションを起動させて対応する携帯用アプリケーションサイトに接続し、端末機種判別情報をもって携帯用アプリケーションサイトの画面を自身のモニタ上に操作可能に表示させるようにしたので、非接触型ＩＣチップ内臓の携帯端末をＰＣ端末に接続されたリーダライタにかざすことで、ＰＣ端末をこれにかざした携帯端末として擬似的に動作させ、携帯端末で携帯端末用サイトにアクセスした時と同様のふるまいをＰＣ端末で行うことが可能となる。このため、携帯端末よりも大きなＰＣ端末のモニタや、ＰＣ端末のフルキーボードやマウス等を有効的に活用して、快適に利用することが可能となる。
【００１９】
また、モニタへの表示は、携帯端末に表示されるべきスクロール画面を当該モニタ上に携帯端末の表示幅で縦方向に連続的に表示させるようにするとよく、このような構成を採用すれば、携帯端末ではスクロールしなければならなかった画面をＰＣ端末のモニタで殆どスクロールすることなく一度に見ることが可能となる。
【００２０】
また、ＰＣ端末により、携帯端末として認証サーバから個体認証ＩＤを取得し、モニタ上に表示される操作ボタンによりアプリケーションサイトの遷移を個体認証ＩＤの利用要求と共に要求し、遷移されたアプリケーションサイトの画面を自身のモニタ上に表示させるようにすれば、携帯端末用の認証が必要となるアプリケーションサイトの遷移をＰＣ端末で行うことが可能となる。
【００２１】
この際、前記モニタへの表示は、遷移した画面を遷移前の画面と共に前記モニタ上に並列表示させるようにするとよく、このような構成を採用することで、遷移の過程を把握することが可能となる。
【００２２】
さらに、上述したＰＣ端末のエミュレータ機能は、携帯端末をＰＣ端末にかざしている間だけとし、前記ＰＣ端末に、かざされた携帯端末をリーダライタから離すことにより、エミュレート機能を終了させるようにすれば、かざされた携帯端末がＰＣ端末から離された場合でも、ＰＣ端末が疑似的に携帯端末として扱われる不都合がなくなり、携帯端末の利用が制限されることがなくなる。
【発明を実施するための最良の形態】
【００２３】
以下、本発明に係る携帯端末エミュレートシステムの実施形態を添付図面を参照しながら説明する。
【００２４】
図１において、携帯電話１からなる携帯端末をノートパソコンやデスクトップパソコン等のＰＣ端末２（この例ではノートパソコン）に設けられたリーダライタにかざして、ＰＣ端末２を疑似的に携帯電話１とする携帯端末エミュレートシステムのシステム構成例が示されている。
【００２５】
携帯電話１は、それ自体周知の非接触型ＩＣチップ３とアンテナ４が搭載されているもので、非接触型ＩＣチップ３には、ユーザーエージェント等の端末機種判別情報や固有のＩＤを含む端末固有情報が記憶されている。
【００２６】
ＰＣ端末２は、フルキーボードやマウス等の入力部５、モニタ６等の出力部、前記非接触型ＩＣチップ３との間で無線通信処理を行うリーダライタ７、及びこれらを制御する制御部８を少なくとも備えている。また、ＰＣ端末２の制御部８は、ウィンドウズ（登録商標）等の汎用オペレーティングシステム（汎用ＯＳ）９を備え、固定通信網１０及び移動通信網１１を介して接続される携帯電話用アプリケーションサーバ１２へアクセスを行う携帯電話用アプリケーションプログラム１３と、固定通信網１０及び移動通信網１１を介して接続される個体認証サービス用認証サーバ１４から携帯電話の個体認証ＩＤを取得する個体認証プログラム１５を備える。さらに、制御部８は、汎用オペレーティングシステム９と携帯電話用アプリケーションプログラム１３及び個体認証プログラム１５との間に介在し、ＰＣ端末２を携帯電話１として擬似的に機能させ、ＰＣ端末２で携帯電話用アプリケーションプログラム１３や個体認証プログラム１５を実行させるミドルウエア（エミュレータ）１６を備えている。
【００２７】
このミドルウエアは、ＰＣ端末２とリーダライタ７を介して認識された携帯電話１とを紐付けする紐付制御部を備えている。このシステム構成例では、ウイルス対策ソフト等のクライアントソフトが導入されているＰＣ端末２のライセンス認証やリーダライタ７を介して認識された携帯電話１に搭載される非接触ＩＣチップ３の固有のＩＤの認証を行うセキュアサーバ１７が固定通信網１０を介してＰＣ端末２と接続され、ここで認証されたＰＣ端末２と前記固有のＩＤを持つ非接触ＩＣチップが搭載された携帯電話１とが紐付けられ、この紐付情報をセキュアサーバ１７を介してバックエンドシステム１８に通知するようになっている。
尚、１９は、非接触ＩＣチップ３の固有のＩＤを認証するための端末認証サーバである。
【００２８】
次に、以上のように構成された携帯端末エミュレートシステムの動作について、図２及び図３に示すフローチャートに基づき説明する。
先ず、ＰＣ端末２に予め携帯エミュレートシステムのクライアントソフトをインストールしておく（ステップＳ０１)と共に、リーダライタが外付けの場合であればこのリーダライタ７をＰＣ端末２に接続し（ステップＳ０２)，携帯電話１の待ち受け状態にしておく（ステップＳ０３)。
【００２９】
この状態で、図４（ａ）に示されるように、携帯電話１をリーダライタ７にかざすと（ステップＳ０４)、ＰＣ端末２は、リーダライタ７を介して携帯電話１がかざされたことを認識し、図４（ｂ）に示すメニュー選択画面を起動し（ステップＳ０５)、エミュレート機能の実行要請の有無を確認させる。これを受けて、利用者がこのメニュー選択画面の中から「携帯エミュレート」アイコン２０の選択ボタンを選択してダブルクリックすることで、エミュレート機能の実行要請を確認し、携帯エミュレートソフトを起動させる（ステップＳ０６）。
【００３０】
それと同時に、ＰＣ端末２は、前記携帯エミュレートシステムのクラントソフトを導入したＰＣ端末２のライセンス確認および認証をセキュアサーバ１７との間で行う（ステップＳ０７）。このライセンス確認・認証は、ＰＣ端末２にインストールされているウィルス対策ソフト等のライセンス確認を行うこと等によって実現される。
【００３１】
その後、リーダライタ７にかざされた非接触型ＩＣチップ３が搭載された携帯電話１を認識するために、ＰＣ端末２は、リーダライタ７を介して、非接触型ＩＣチップ３に記憶された端末機種判別情報（ユーザーエージェント）及び非接触型ＩＣチップ３の固有のＩＤを含む携帯電話１の端末固有情報を読み取り（ステップＳ０８）、読み取った端末固有情報に基づき、クライアントソフトが導入されているライセンス認証された自身のＰＣ端末とリーダライタ７にかざされた携帯電話１とを紐付けする紐付情報（ＰＣ端末＝携帯電話）を形成し（ステップＳ０９）、この紐付情報をセキュアサーバ１７に認識させ（ステップＳ１０）、このセキュアサーバ１７を介してバックエンドシステム１８に通知する（ステップＳ１１）。
【００３２】
その後、バックエンドシステム１８から端末認証サーバ１９に対して、携帯電話１の非接触型ＩＣチップ３から読み取った固有のＩＤの認証を要求し（ステップＳ１２）、これを受けて、端末認証サーバ１９により非接触型ＩＣチップ３の固有のＩＤの認証が許可されると（ステップＳ１３）、この固有のＩＤの認証許可の通知がバックエンドシステム１８を介してセキュアサーバ１７に通知され（ステップＳ１４）、前記紐付情報から、この固有のＩＤを有する非接触ＩＣチップ３が搭載された携帯電話１と紐付けされているＰＣ端末２に対して、「携帯エミュレート」クライアントソフトを正常に起動し、トップ画面の表示を許可する（ステップＳ１５）。
【００３３】
ＰＣ端末２は、これを受けて、自信のモニタ上に図５に示すトップ画面を表示させる（ステップＳ１６）。利用者は、この表示を見て、メニューの中から所望のアプリケーションを選択し、起動させる（ステップＳ１７）。
【００３４】
これにより、選択されたアプリケーションプログラムがミドルウエア上で起動し、「ＰＣ端末＝携帯電話」の紐付けを確認した上で、選択されたアプリケーションがアプリケーションサイト（携帯電話用アプリケーションサーバ１２）に接続し（ステップＳ１８）、この接続したアプリケーションサイトに端末機種判別情報（ユーザエージェント）を通知する。このため、端末機種判別情報（ユーザエージェント）をもって携帯電話用サイトがＰＣ端末２のモニタ６上に操作可能に表示され、利用可能となる。
【００３５】
尚、ＰＣ端末２のモニタ６への表示は、図５（ｂ）に示されるように、かざされた携帯電話１に表示されるべきスクロール画面をモニタ上に携帯電話での表示と同じ表示幅で、且つ、縦方向に連続的に表示させるようにしており、スクロールせずに、又は、極力スクロールさせることなく全体を見ることができるようになっている。
【００３６】
その後、アプリケーションサイトを遷移する場合に備え、ＰＣ端末２は、携帯電話の個体認証プログラム１５により、個体認証サービス用認証サーバ１４に接続して、かざされた携帯電話１の個体認証ＩＤを取得する（ステップＳ１９）。
【００３７】
これにより、ＰＣ端末上で起動した携帯電話用アプリケーションの画面の遷移要求が個体認証ＩＤの利用要求と共になされと（ステップＳ２０)、個体認証サービス用認証サーバ１４から遷移先であるアプリケーションサーバに個体認証ＩＤが通知され（ステップＳ２１)、ＰＣ端末２による画面の遷移要求に対して個体認証を許可することにより、別途ＩＤやパスワードを入力することなく画面の遷移が行われる（ステップＳ２２)。
【００３８】
この際、ＰＣ端末２のモニタ６への表示は、図６に示されるように、遷移した画面を遷移前の画面と共にモニタ上に並列表示させるようにする。即ち、この例では、図６（ｂ）に示すトップ画面から、「カテゴリ検索」の選択により、図６（ｃ）に示すカテゴリ検索画面がトップ画面を残したまま並列的に操作可能に表示され、さらにそのカテゴリ検索画面から、「着うたフルビデオクリップ」の選択により、図６（ｄ）に示す着うたフルビデオクリップ画面がいままでの画面を残したまま並列的に操作可能に表示され、遷移の度に、以前のウインドウを残したまま、新たにウインドウが開き、それぞれのウィンドウは、携帯電話１に表示されるべきスクロール画面を当該モニタ上に携帯電話での表示と同じ表示幅で、且つ、縦方向に連続的に表示される。
【００３９】
尚、上述した一連の動作は、携帯電話１をリーダライタ７にかざしている間だけ行われ、携帯電話１をリーダライタ７から離すと、その時点で携帯エミュレート関連のアプリケーションはすべて終了し、ＰＣ端末２のエミュレート機能は終了する。
【００４０】
したがって、上述の構成によれば、携帯電話１をＰＣ端末２のリーダライタ７にかざすだけで、そのＰＣ端末２がかざされた携帯電話１になりきり（ＰＣ端末２が仮想的に携帯電話１となり）、携帯電話１で携帯電話用サイトにアクセスしたときと同等の振る舞いをＰＣ端末２で行うことが可能となる。
【００４１】
また、携帯電話１よりも大きなモニタ６やフルキーボード、マウス等を利用することができるので、携帯電話１の小さい画面では実現できないマルチウインドウ化や、スクロールを何度もしなくても済む連続表示が行え、また、フルキーボードやマウスによる快適な入力作業が可能となる。このため、過去の画面を表示したまま遷移した新たな画面を表示することができるようになり、アクセスしたサイトの履歴が把握しやすくなり、また、フルキーボードやマウスの操作により画面の切り替えを速やかに行うことが可能となる。
【００４２】
また、連続表示やマルチウインドウ化により、これまで、携帯電話１による利用では見落とされがちであった深い階層にあるコンテンツに存在に気付くことが可能となり、そのコンテンツの認知度や利用頻度を高めることが可能となる。
さらに、ＰＣ端末を携帯電話と認識・認証させた上で、携帯電話の個体認証ＩＤを取得して画面の遷移を要求するので、疑似的に携帯電話としてふるまうＰＣ端末から携帯電話の個体認証を利用するシステムを利用することが可能となる。
【００４３】
尚、上述の構成においては、非接触型ＩＣチップ用のリーダライタ７をＰＣ端末２に対して外付けにした例を示したが、ＰＣ端末２に内蔵されるものであってもよい。また、上述の構成においては、ＰＣ端末をノートパソコンで構成した場合を示したが、ＰＣ端末はデスクトップパソコンであってもよい。
【図面の簡単な説明】
【００４４】
【図１】図１は、本発明に係る携帯端末エミュレートシステムの構成例を示すシステム構成図である。
【図２】図２は、本発明に係る携帯端末エミュレートシステムの処理フローを示すフローチャートである。
【図３】図３は、図２で示す処理フローの続きを示すフローチャートである。
【図４】図４（ａ）は、ＰＣ端末に設けられるリーダライタに携帯電話をかざす状態を示す図であり、図４（ｂ）は、リーダライタに携帯電話をかざした際に起動されるメニュー選択画面を示す図である。
【図５】図５（ａ）は、ＰＣ端末のモニタにトップ画面が表示された状態を示す図であり、図５（ｂ）は、トップ画面の拡大図を示す。
【図６】図６（ａ）は、アプリケーションサイトを遷移した場合の遷移前後の画面がＰＣ端末に表示されている状態を示す図であり、図６（ｂ）〜（ｄ）は、表示される遷移前後の画面の拡大図を示す。
【符号の説明】
【００４５】
１  携帯電話
２  ＰＣ端末
３  非接触型ＩＣチップ
５  入力部
６  モニタ
７  リーダライタ
１２  携帯電話用アプリケーションサーバ
１４  個体認証サービス用認証サーバ
１９  端末認証サーバ
【図１】
2010093700.tif 000003
【図２】
2010093700.tif 000004
【図３】
2010093700.tif 000005
【図４】
2010093700.tif 000006
【図５】
2010093700.tif 000007
【図６】
2010093700.tif 000008